(57)【特許請求の範囲】
【請求項１】
ベース部材と、前記ベース部材に保持された複数のコンタクトと、開閉可能となるように前記ベース部材に支持されたアクチュエータとを備え、シート状又は板状の対象物と接続可能なコネクタであって、
前記ベース部材には、前記対象物の端部を搭載する搭載面と、複数の収容溝とが形成されており、
前記収容溝の夫々は、上下方向において前記搭載面から下方に凹み且つ前記上下方向と直交する前後方向に沿って延びており、
前記コンタクトの夫々は、前記収容溝に少なくとも部分的に収容される下部と、前記下部に設けられた接点部とを有しており、
前記アクチュエータは、押圧部と保護部とを有し、且つ、接点保護位置と、開位置と、前記開位置及び前記接点保護位置の間に位置する保持位置とを取り得るものであり、
前記アクチュエータが前記開位置にあるとき、前記保護部は前記上下方向において前記押圧部よりも上方に位置しており、前記搭載面上に前記対象物の前記端部を搭載可能であり、
前記アクチュエータが前記保持位置又は前記接点保護位置にあるとき前記保護部は前記前後方向において前記押圧部よりも前方に位置しており、
前記対象物の前記端部が前記搭載面上に搭載された状態で前記アクチュエータを前記保持位置まで閉じると、前記押圧部が前記対象物の前記端部を前記搭載面に押し付けると共に前記コンタクトの前記接点部が前記対象物の前記端部に接触し、
前記対象物が前記搭載面上に搭載されていない状態で前記アクチュエータを前記接点保護位置まで閉じると、前記上下方向において前記保護部が少なくとも部分的に前記搭載面よりも下側に位置すると共に前記前後方向において前記コネクタを前方から見た場合に前記保護部が前記接点部を視認できないように隠す
コネクタ。
【請求項２】
請求項１記載のコネクタであって、
前記押圧部が前記対象物の前記端部を前記搭載面に押し付けているとき、前記保護部は、前記対象物から離れて位置している
コネクタ。
【請求項３】
請求項２記載のコネクタであって、
前記保護部は、前記アクチュエータが前記保持位置に位置しているとき前記上下方向において下側に向いている平面を有している
コネクタ。
【請求項４】
請求項３記載のコネクタであって、
前記ベース部材は、前記前後方向において前記搭載面の前方に位置し且つ前記上下方向及び前記前後方向の双方と斜交する斜面を有しており、
前記アクチュエータが前記接点保護位置に位置しているとき、前記保護部の前記平面は前記ベース部材の前記斜面と対向している
コネクタ。
【請求項５】
請求項１乃至請求項４のいずれかに記載のコネクタであって、
前記コンタクトの夫々は、上部と、前記下部と前記上部とを連結する連結部と、前記連結部を弾性支持すると共に前記ベース部材に保持された被保持部とを更に有しており、
前記アクチュエータは、前記上部を部分的に受け入れる受容部と、前記受容部内に設けられたリフトアップ部とを更に有しており、
前記上部は、前記上下方向において前記リフトアップ部の上方に位置しており、
前記対象物の前記端部が前記搭載面上に搭載された状態で前記アクチュエータを前記開位置から前記保護位置まで倒すと、前記リフトアップ部が前記上部を所定位置までリフトアップし、それによって前記下部の前記接点部が前記上下方向において上方に向かう力を受ける
コネクタ。
【請求項６】
請求項５記載のコネクタであって、
前記対象物の前記端部が前記搭載面上に搭載されていない状態で前記上部を前記所定位置まで移動させた場合に、前記下部は部分的に前記搭載面から突出しており、且つ、前記下部の前記上下方向における突出量は、前記下部のうちの前記接点部を含む最大部位の前記上下方向におけるサイズの１／２以上である
コネクタ。
【請求項７】
請求項１乃至請求項６のいずれかに記載のコネクタであって、
前記収容溝の夫々は、前記ベース部材の前端には達していない
コネクタ。
【請求項８】
請求項１乃至請求項７のいずれかに記載のコネクタであって、
前記上下方向において、前記収容溝は、前記下部のうちの前記接点部を含む最大部位よりも大きい
コネクタ。
【請求項９】
請求項８記載のコネクタであって、
前記アクチュエータが前記開位置にあるとき、前記接点部の前記搭載面からの前記上下方向における突出量は、前記下部の前記最大部位の前記上下方向におけるサイズの１／３以下である
コネクタ。
【請求項１０】
請求項９記載のコネクタであって、
前記アクチュエータが前記開位置にあるとき、前記接点部は前記上下方向において前記搭載面以下に位置している
コネクタ。
【請求項１１】
請求項８乃至請求項１０のいずれかに記載のコネクタであって、
前記対象物の前記端部が前記搭載面上に搭載されており且つ前記アクチュエータが前記保持位置に位置しているとき、前記対象物の前記端部と前記コンタクトの前記接点部との接触位置は、前記上下方向において、前記搭載面の位置と等しい
コネクタ。
【請求項１２】
請求項１乃至請求項１１のいずれかに記載のコネクタであって、
前記ベース部材に被ロック部が設けられており、
前記アクチュエータには、前記対象物が前記搭載面上に搭載されておらず且つ前記アクチュエータが前記接点保護位置に位置しているとき、前記被ロック部にロックして前記アクチュエータが前記保持位置に向かうことを防ぐロック部が設けられている
コネクタ。
【発明の詳細な説明】
【技術分野】
【０００１】
本発明は、ＦＰＣ（Flexible Printed Circuit）やＦＦＣ（Flexible Flat Cable）のような板状又はシート状の対象物と接続するコネクタに関する。
【背景技術】
【０００２】
特許文献１のコネクタは、図１９に示されるように、絶縁ハウジングと、複数のコンタクトと、アクチュエータとを備えている。複数のコンタクトは、絶縁ハウジングに保持されている。アクチュエータは、開状態（図１９（Ａ））と閉状態（図１９（Ｂ））とを取り得るように絶縁ハウジングに支持されている。ＦＰＣの端部をコネクタに挿入した状態で、アクチュエータを前方に倒して閉じると、ＦＰＣの端部がコンタクトの接点部に押し付けられる。
【先行技術文献】
【特許文献】
【０００３】
【特許文献１】特開２００４−１９３０４５号公報
【発明の概要】
【発明が解決しようとする課題】
【０００４】
特許文献１のコネクタでは、コンタクトの接点部に塵が付着してしまう問題が生じやすかった。
【０００５】
そこで、本発明は、ＦＰＣ等と接続するコネクタであって防塵対策に優れた構造を有するコネクタを提供することを目的とする。
【課題を解決するための手段】
【０００６】
本発明の発明者は、検討した結果、特許文献１のコネクタでは、ＦＰＣをコネクタに挿入していない場合、図１９（Ｂ）に示されるようにアクチュエータを閉状態にしたとしても、コネクタの前端に開口が存在することに着目し、かかる開口を極力小さくして防塵効果を高めることにした。具体的には、本発明は以下に掲げるコネクタを提供する。
【０００７】
本発明は、第１のコネクタとして、
ベース部材と、前記ベース部材に保持された複数のコンタクトと、開閉可能となるように前記ベース部材に支持されたアクチュエータとを備え、シート状又は板状の対象物と接続可能なコネクタであって、
前記ベース部材には、前記対象物の端部を搭載する搭載面と、複数の収容溝とが形成されており、
前記収容溝の夫々は、上下方向において前記搭載面から下方に凹み且つ前記上下方向と直交する前後方向に沿って延びており、
前記コンタクトの夫々は、前記収容溝に少なくとも部分的に収容される下部と、前記下部に設けられた接点部とを有しており、
前記アクチュエータは、押圧部と保護部とを有し、且つ、接点保護位置と、開位置と、前記開位置及び前記接点保護位置の間に位置する保持位置とを取り得るものであり、
前記アクチュエータが前記開位置にあるとき、前記保護部は前記上下方向において前記押圧部よりも上方に位置しており、前記搭載面上に前記対象物の前記端部を搭載可能であり、
前記アクチュエータが前記保持位置又は前記接点保護位置にあるとき前記保護部は前記前後方向において前記押圧部よりも前方に位置しており、
前記対象物の前記端部が前記搭載面上に搭載された状態で前記アクチュエータを前記保持位置まで閉じると、前記押圧部が前記対象物の前記端部を前記搭載面に押し付けると共に前記コンタクトの前記接点部が前記対象物の前記端部に接触し、
前記対象物が前記搭載面上に搭載されていない状態で前記アクチュエータを前記接点保護位置まで閉じると、前記上下方向において前記保護部が少なくとも部分的に前記搭載面よりも下側に位置すると共に前記前後方向において前記コネクタを前方から見た場合に前記保護部が前記接点部を視認できないように隠す
コネクタを提供する。
【０００８】
また、本発明は、第２のコネクタとして、第１のコネクタであって、
前記押圧部が前記対象物の前記端部を前記搭載面に押し付けているとき、前記保護部は、前記対象物から離れて位置している
コネクタを提供する。
【０００９】
また、本発明は、第３のコネクタとして、第２のコネクタであって、
前記保護部は、前記アクチュエータが前記保持位置に位置しているとき前記上下方向において下側に向いている平面を有している
コネクタを提供する。
【００１０】
また、本発明は、第４のコネクタとして、第３のコネクタであって、
前記ベース部材は、前記前後方向において前記搭載面の前方に位置し且つ前記上下方向及び前記前後方向の双方と斜交する斜面を有しており、
前記アクチュエータが前記接点保護位置に位置しているとき、前記保護部の前記平面は前記ベース部材の前記斜面と対向している
コネクタを提供する。
【００１１】
また、本発明は、第５のコネクタとして、第１乃至第４のいずれかのコネクタであって、
前記コンタクトの夫々は、上部と、前記下部と前記上部とを連結する連結部と、前記連結部を弾性支持すると共に前記ベース部材に保持された被保持部とを更に有しており、
前記アクチュエータは、前記上部を部分的に受け入れる受容部と、前記受容部内に設けられたリフトアップ部とを更に有しており、
前記上部は、前記上下方向において前記リフトアップ部の上方に位置しており、
前記対象物の前記端部が前記搭載面上に搭載された状態で前記アクチュエータを前記開位置から前記保護位置まで倒すと、前記リフトアップ部が前記上部を所定位置までリフトアップし、それによって前記下部の前記接点部が前記上下方向において上方に向かう力を受ける
コネクタを提供する。
【００１２】
また、本発明は、第６のコネクタとして、第５のコネクタであって、
前記対象物の前記端部が前記搭載面上に搭載されていない状態で前記上部を前記所定位置まで移動させた場合に、前記下部は部分的に前記搭載面から突出しており、且つ、前記下部の前記上下方向における突出量は、前記下部のうちの前記接点部を含む最大部位の前記上下方向におけるサイズの１／２以上である
コネクタを提供する。
【００１３】
また、本発明は、第７のコネクタとして、第１乃至第６のいずれかのコネクタであって、
前記収容溝の夫々は、前記ベース部材の前端には達していない
コネクタを提供する。
【００１４】
また、本発明は、第８のコネクタとして、第１乃至第７のいずれかのコネクタであって、
前記上下方向において、前記収容溝は、前記下部のうちの前記接点部を含む最大部位よりも大きい
コネクタを提供する。
【００１５】
また、本発明は、第９のコネクタとして、第８のコネクタであって、
前記アクチュエータが前記開位置にあるとき、前記接点部の前記搭載面からの前記上下方向における突出量は、前記下部の前記最大部位の前記上下方向におけるサイズの１／３以下である
コネクタを提供する。
【００１６】
また、本発明は、第１０のコネクタとして、第９のコネクタであって、
前記アクチュエータが前記開位置にあるとき、前記接点部は前記上下方向において前記搭載面以下に位置している
コネクタを提供する。
【００１７】
また、本発明は、第１１のコネクタとして、第８乃至第１０のいずれかのコネクタであって、
前記対象物の前記端部が前記搭載面上に搭載されており且つ前記アクチュエータが前記保持位置に位置しているとき、前記対象物の前記端部と前記コンタクトの前記接点部との接触位置は、前記上下方向において、前記搭載面の位置と等しい
コネクタを提供する。
【００１８】
また、本発明は、第１２のコネクタとして、第１乃至第１１のいずれかのコネクタであって、
前記ベース部材に被ロック部が設けられており、
前記アクチュエータには、前記対象物が前記搭載面上に搭載されておらず且つ前記アクチュエータが前記接点保護位置に位置しているとき、前記被ロック部にロックして前記アクチュエータが前記保持位置に向かうことを防ぐロック部が設けられている
コネクタを提供する。
【発明の効果】
【００１９】
本発明のコネクタは、ＦＰＣ等の対象物が搭載面上に搭載されていない状態でアクチュエータを接点保護位置まで閉じたときに、保護部が少なくとも部分的に搭載面よりも下側に位置すると共にコネクタを前方から見た場合に保護部が接点部を隠して見えなくなる構造を備えている。従って、アクチュエータを倒した状態であっても前端が開いていた特許文献１のコネクタと比較して、本発明のコネクタは高い防塵効果を奏することができる。
【図面の簡単な説明】
【００２０】
【図１】本発明の実施の形態によるコネクタを示す正面斜視図である。アクチュエータは開位置に位置している。
【図２】図１のコネクタを示す背面斜視図である。アクチュエータは倒されているが接点保護位置には至っていない。また、殆どのコンタクトが省略されている。
【図３】図１のコネクタの一部を示す拡大図である。
【図４】図１のコネクタを示す他の正面斜視図である。アクチュエータは接点保護位置に位置している。
【図５】図４のコネクタを示す正面図である。
【図６】図５のコネクタの一部を示す拡大図である。
【図７】図１のコネクタを示す側面図である。図示されたコネクタにはＦＰＣが挿入されており、アクチュエータは保持位置に位置している。
【図８】図１のコネクタに含まれるベース部材を示す斜視図である。
【図９】図８のベース部材の一部を示す拡大図である。
【図１０】図１のコネクタに含まれるアクチュエータを示す斜視図である。
【図１１】図１０のアクチュエータの一部を示す拡大図である。
【図１２】図１のコネクタに含まれるコンタクトを示す斜視図である。
【図１３】図１のコネクタを示す断面図である。アクチュエータは開位置に位置している。
【図１４】図１１のコネクタを示す他の断面図である。アクチュエータは保持位置に位置している。
【図１５】図１１のコネクタを示す他の断面図である。アクチュエータは接点保護位置に位置している。
【図１６】図１１のコネクタを示す他の断面図である。後述する検査用ＦＰＣが挿入されており、アクチュエータが保持位置に位置している。
【図１７】図１のコネクタと接続するＦＰＣを示す斜視図である。
【図１８】接点部の移動量の検査用ＦＰＣを示す斜視図である。
【図１９】特許文献１のコネクタを示す斜視図である。図１９（Ａ）においてアクチュエータは開状態にあり、図１９（Ｂ）においてアクチュエータは閉状態にある。
【発明を実施するための形態】
【００２１】
図１乃至図７を参照すると、本発明のコネクタ１００は、回路基板（図示せず）に搭載されると共にＦＰＣ２００に接続されるものであり、絶縁体からなるベース部材１１０と、導電体からなる複数のコンタクト１３０と、絶縁体からなるアクチュエータ１５０と、金属製のホールドダウン１７０とを備えている。図１７に示されるように、ＦＰＣ２００は、端子（図示せず）が形成される端部２０２と、端部２０２のＹ方向（ピッチ方向：横方向）の両端から外側に突出したタブ２０４とを有している。なお、本発明のコネクタ１００と接続可能な対象物はＦＰＣ２００には限られず、ＦＦＣや他のシート状又は板状のものであってもよい。
【００２２】
図８及び図９に示されるように、ベース部材１１０は、Ｙ方向に長手を有する細長いブロック状の保持部１１４と、保持部１１４からＸ方向（前後方向）において−Ｘ側（前方）に延びる板状部１１５と、Ｙ方向において板状部１１５の両端に位置する側壁部１１６とを有している。
【００２３】
図８に示されるように、保持部１１４は、ベース部材１１０の後端１１２を構成している。図１３乃至図１５に示されるように、保持部１１４は、コンタクト１３０を保持している。
【００２４】
図８及び図９に示されるように、板状部１１５のＺ方向（上下方向）におけるサイズ（厚み）は、保持部１１４や側壁部１１６よりも小さい。即ち、板状部１１５は、保持部１１４や側壁部１１６よりも薄い。
【００２５】
図１４に示されるように、板状部１１５の＋Ｚ側の面（上面）は、ＦＰＣ２００を搭載するための搭載面１２２として機能する。図８及び図９に示されるように、板状部１１５には、複数の収容溝１２４が形成されている。各収容溝１２４は、搭載面１２２から−Ｚ側（下方）に凹み且つＸ方向（前後方向）に沿って延びている。但し、例えば、図１３乃至図１５に示されるように、各収容溝１２４は、ベース部材１１０の前端１１１までは達していない。また、各収容溝１２４は、保持部１１４まで通じており、後述するようにコンタクト１３０の一部を収容する。
【００２６】
図８及び図９に示されるように、搭載面１２２の−Ｘ側（前方）には、Ｘ方向及びＺ方向と斜交する斜面１２６が形成されている。斜面１２６は、ベース部材１１０の前端１１１まで延びている。搭載面１２２の−Ｘ側（前方）であって斜面１２６のＹ方向の両側には、＋Ｚ側に突出したブロック状の抜け止め部１２８が形成されている。これら抜け止め部１２８は、ＦＰＣ２００が搭載面１２２に搭載された際に、ＦＰＣ２００のタブ２０４（図１７参照）の−Ｘ側（前方）に位置することによりＦＰＣ２００が抜け落ちてしまうことを防止する。
【００２７】
図８及び図９に示されるように、側壁部１１６は、保持部１１４のＹ方向の両端から−Ｘ側（前方）に向かって延びている。図１乃至図７に示されるように、側壁部１１６は、ホールドダウン１７０を夫々保持している。換言すると、ホールドダウン１７０は、ベース部材１１０のＹ方向の両端に保持されている。これらホールドダウン１７０は、コネクタ１００を回路基板（図示せず）に搭載した際に、回路基板（図示せず）に半田等により固定される。
【００２８】
図８及び図９に示されるように、各側壁部１１６には、軸受け溝部１１８及び被ロック部１２０が形成されている。軸受け溝部１１８は、側壁部１１６のＹ方向内側の面からＹ方向外側に向かって凹んでいると共に、Ｚ方向に延びている。被ロック部１２０は、Ｘ方向において側壁部１１６の−Ｘ側端部（前端１１１）近傍に位置すると共にＺ方向において側壁部１１６の＋Ｚ側端部近傍に位置している。被ロック部１２０は、側壁部１１６のＹ方向の内側の面から更にＹ方向の内側に突出している。
【００２９】
図１２に示されるように、コンタクト１３０は、上部１３２と、下部１３４と、連結部１４０と、被保持部１４２とを有している。下部１３４には、ＦＰＣ２００の端部２０２に形成された端子（図示せず）と接続される接点部１３６が形成されている。連結部１４０は、上部１３２と下部１３４とを連結する。上部１３２と下部１３４は、Ｚ方向において離れて位置している。被保持部１４２は、連結部１４０を弾性支持している。そのため、例えば、上部１３２を＋Ｚ側（上方）に引き上げると、下部１３４も＋Ｚ側（上方）に引き上げられる。
【００３０】
図１及び図８から理解されるように、ベース部材１１０に保持されたコンタクト１３０は、Ｙ方向に並んでいる。図１３乃至図１５に示されるように、被保持部１４２は、保持部１１４に保持されている。下部１３４は、収容溝１２４に収容されている。図１２乃至図１５から理解されるように、下部１３４のうちの接点部１３６を含む部位（Ｚ方向におけるサイズが最大である部位：以下、「最大部位」という）１３８のＺ方向におけるサイズＨＭは、収容溝１２４のＺ方向におけるサイズ（即ち、収容溝１２４の深さ）以下である。換言すると、Ｚ方向において、収容溝１２４は下部１３４の最大部位１３８よりも大きい。そのため、収容溝１２４は下部１３４全体を収容溝１２４内に収容することができる。
【００３１】
図１０及び図１１に示されるように、アクチュエータ１５０は、押圧部１５２と、保護部１６０と、操作部１６４とを有している。
【００３２】
図１０に示されるように、押圧部１５２のＹ方向の両端には外側に向かって突出した軸部１５８が設けられている。この軸部１５８は、ベース部材１１０の軸受け溝部１１８（図８及び図９参照）内において回転及びＺ方向への移動（上下移動）可能となるように、軸受け溝部１１８に受容されている。これにより、アクチュエータ１５０は、ベース部材１１０に支持されており、開閉可能となっている。詳しくは、本実施の形態によるアクチュエータ１５０は、開位置（図１３参照）と、保持位置（図１４参照）と、接点保護位置（図１５参照）とに位置することができる。ここで、保持位置は、開位置と接点保護位置との間に位置している。
【００３３】
図１０及び図１１に示されるように、押圧部１５２には、Ｙ方向と交差する溝状の受容部１５４が複数形成されている。受容部１５４は、コンタクト１３０に対応している。図１３乃至図１５に示されるように、各受容部１５４は、対応するコンタクト１３０の上部１３２を受容する。各受容部１５４内には断面Ｄ字形状のリフトアップ部１５６が設けられている。コンタクト１３０の上部１３２は、受容部１５４内においてリフトアップ部１５６の＋Ｚ側（上方）に位置している。本実施の形態におけるリフトアップ部１５６は、アクチュエータ１５０が開位置（図１３参照）に位置しているときやアクチュエータ１５０が接点保護位置（図１５参照）に位置しているときにはコンタクト１３０の上部１３２に殆ど力を加えないように設計されている一方、ＦＰＣ２００を搭載面１２２上に搭載し且つアクチュエータ１５０が保持位置（図１４参照）に位置しているときにはコンタクト１３０の上部１３２をリフトアップするように（即ち、＋Ｚ方向（上方）に移動させるように）設計されている。なお、後の説明において、リフトアップされたときの上部１３２の位置を所定位置として参照する。
【００３４】
図１３に示されるように、保護部１６０は、アクチュエータ１５０が開位置に位置しているとき、押圧部１５２よりも＋Ｚ側（上方）に位置している。また、図１４及び図１５に示されるように、保護部１６０は、アクチュエータ１５０が保持位置や接点保護位置に位置しているとき、押圧部１５２よりも−Ｘ側（前方）に位置している。図１４に示されるように、保護部１６０は、アクチュエータ１５０が保持位置に位置しているとき、−Ｚ側（下方）を向いている平面１６２を有している。アクチュエータ１５０が保持位置に位置しているとき、平面１６２は、押圧部１５２の下面よりも＋Ｚ側（上方）に位置している。即ち、押圧部１５２と保護部１６０との間には段差がある。但し、本実施の形態における段差は、僅か且つ緩やかである。
【００３５】
図１０及び図１１に示されるように、操作部１６４は、保護部１６０よりも薄く、平面１６２から離れて位置している。これにより、操作部１６４と保護部１６０の間には、比較的大きな段差が設けられている。このため、コネクタ１００を操作する作業者は、操作部１６４に指を掛け易い。図１３乃至図１５から明らかなように、保護部１６０は操作部１６４と押圧部１５２との間に位置している。
【００３６】
図１０及び図１１に示されるように、アクチュエータ１５０には、ロック部１６６が更に形成されている。ロック部１６６は、アクチュエータ１５０のＹ方向両端に位置しており、Ｙ方向の外側に向かって突出している。本実施の形態におけるロック部１６６は、アクチュエータ１５０が保持位置（図１４参照）や接点保護位置（図１５参照）に位置しているときにアクチュエータ１５０の＋Ｚ側面（上面）となる面（平面１６２の裏の面）近傍に位置している。
【００３７】
図１３に示されるように、アクチュエータ１５０が開位置に位置しているとき、搭載面１２２は＋Ｚ側（上方）から視認可能であり、搭載面１２２上にはＦＰＣ２００の端部２０２を搭載することができる。アクチュエータ１５０が開位置に位置しているとき、コンタクト１３０の接点部１３６の搭載面１２２からのＺ方向における突出量は、接点部１３６の防塵の観点から、下部１３４の最大部位１３８のＺ方向におけるサイズＨＭ（図１２参照）の１／３以下であることが好ましく、接点部１３６が搭載面１２２以下に位置している（即ち、下部１３４全体が収容溝１２４内に収容されている）ことが更に好ましい。図１３から理解されるように、本実施の形態においては、アクチュエータ１５０が開位置に位置しているとき、接点部１３６は搭載面１２２とほぼ同じ位置に位置している。
【００３８】
図１４に示されるように、搭載面１２２にＦＰＣ２００の端部２０２を搭載し、アクチュエータ１５０を保持位置まで閉じると、リフトアップ部１５６によりコンタクト１３０の上部１３２が図示された所定位置までリフトアップされる（＋Ｚ側に移動させられる）。これにより、下部１３４の接点部１３６も＋Ｚ側に向かう力を受ける。そのため、アクチュエータ１５０が開位置にあるときに仮に下部１３４全体が収容溝１２４内に収容され接点部１３６が搭載面１２２よりも−Ｚ側（下側）に位置していたとしても、アクチュエータ１５０を保持位置まで閉じた際には、接点部１３６はＦＰＣ２００の端部２０２に接触することができる。また、搭載面１２２にＦＰＣ２００の端部２０２を搭載した状態でアクチュエータ１５０を保持位置まで閉じると、リフトアップ部１５６が上部１３２をリフトアップした反力として、押圧部１５２は上部１３２から−Ｚ側に向かう（下向きの）力を受け、押圧部１５２はＦＰＣ２００の端部２０２を搭載面１２２に向けて押し付ける。これにより、接点部１３６は端部２０２の端子（図示せず）と確実に接触することができる。この際、上述したように、保護部１６０と押圧部１５２との間には僅かな段差があることから、保護部１６０はＦＰＣ２００から離れて位置しており接触していない。そのため、ＦＰＣ２００の端部２０２の端子（図示せず）と接点部１３６の接触信頼性におけるバラつきを抑えることができる。
【００３９】
特に、本実施の形態においては、コンタクト１３０の形状を調整して上部１３２のバネ力を下部１３４のバネ力よりも強くなるように設定してある。そのため、例えば、ＦＰＣ２００の端部２０２が搭載面１２２上に搭載されていない状態で上部１３２を所定位置まで移動させた場合、下部１３４が部分的に搭載面１２２から＋Ｚ側に突出する。しかも、このときの下部１３４のＺ方向における突出量は、最大部位１３８のＺ方向におけるサイズＨＭ（図１２参照）の１／２以上である。
【００４０】
この突出量は、例えば、図１８に示されるような検査用ＦＰＣ２１０を用いて確認することができる。検査用ＦＰＣ２１０は、通常のＦＰＣ２００（図１７参照）と同様に端部２１２の両端に抜け落ち用防止用のタブ２１４を有している。加えて、端部２１２には、一部を切り欠いて形成したような凹部２１６が設けられている。
【００４１】
かかる検査用ＦＰＣ２１０を搭載面１２２上に搭載してアクチュエータ１５０を保持位置まで閉じると、凹部２１６に対応するコンタクト１３０以外のコンタクト１３０は、図１４に示されるように変形し、それによって、リフトアップ部１５６は上部１３２を所定位置まで移動させる。このとき、図１６に示されるように、凹部２１６に対応するコンタクト１３０の上部１３２も所定位置まで移動することになるが、対応する接点部１３６は凹部２１６内に突出することとなる。このときの接点部１３６の突出量が上述したように最大部位１３８のＺ方向におけるサイズＨＭの１／２以上であると上部１３２のバネ力の方が下部１３４のバネ力よりも十分に強い。かかる設定とすると、図１４に示されるように、搭載面１２２上に通常のＦＰＣ２００の端部２０２を搭載してアクチュエータ１５０を保持位置まで閉じた場合に、押圧部１５２がＦＰＣ２００の端部２０２を搭載面１２２に比較的強い力で押し付ける一方でリフトアップされた接点部１３６と押圧部１５２とでＦＰＣ２００の端部２０２を挟むこととなるため、接点部１３６とＦＰＣ２００の端部２０２との接触位置は、Ｚ方向において搭載面１２２の位置と等しくなる。
【００４２】
図１５に示されるように、搭載面１２２にＦＰＣ２００を搭載せずにアクチュエータ１５０を接点保護位置まで閉じると、保護部１６０が接点部１３６を隠して塵などから保護する。詳しくは、図１５に示されるように、アクチュエータ１５０が接点保護位置に位置しているとき、Ｚ方向において保護部１６０の一部が搭載面１２２よりも−Ｚ側（下側）に位置している。また、図５及び図６に示されるように、アクチュエータ１５０が接点保護位置に位置しているとき、Ｘ方向においてコネクタ１００を−Ｘ側（前方）から見た場合に保護部１６０が接点部１３６を視認できないように隠している。従って、本実施の形態によるコネクタ１００では、塵が接点部１３６まで到達するおそれを減ずることができる。特に、図１５に示されるように、本実施の形態によるコネクタ１００では、アクチュエータ１５０が接点保護位置に位置しているとき、保護部１６０の平面１６２はベース部材１１０の斜面１２６と対向しており、より具体的には面接触している。そのため、本実施の形態によれば、高い防塵効果を得ることができる。
【００４３】
図６に示されるように、アクチュエータ１５０が接点保護位置に位置しているとき、アクチュエータ１５０のロック部１６６はベース部材１１０の被ロック部１２０の−Ｚ側（下側）に位置している。そのため、アクチュエータ１５０が保持位置に向かって移動しようとしても、ロック部１６６が被ロック部１２０にロックして保持位置に向かうことが防がれる。即ち、ロック部１６６と被ロック部１２０により、コネクタ１００の未使用時にアクチュエータ１５０が勝手に開いてしまい接点部１３６を塵等に晒してしまうことを避けることができる。
【００４４】
以上、本発明について実施の形態によるコネクタ１００を掲げて具体的に説明してきたが、本発明はこれに限定されるわけではなく、様々な変形・応用が可能である。例えば、上述した実施の形態においては、アクチュエータ１５０が接点保護位置に位置しているとき、下側を向く保護部１６０の面を平面１６２としていたが、曲面であってもよいし、段差を有する面としてもよい。但し、アクチュエータ１５０の可動範囲を必要以上に大きくすることなく高い防塵効果を得ようとすると、保護部１６０の下面は平面１６２であることが望ましい。また、その平面１６２と対向するベース部材１１０の面は斜面１２６であることが望ましい。
【産業上の利用可能性】
【００４５】
本発明のコネクタは、例えば、液晶テレビ等の内部において回路基板上の導電パターンとＦＰＣやＦＦＣの端子に接続するために使用可能である。
【符号の説明】
【００４６】
１００        コネクタ
１１０        ベース部材
１１１        前端
１１２        後端
１１４        保持部
１１５        板状部
１１６        側壁部
１１８        軸受け溝部
１２０        被ロック部
１２２        搭載面
１２４        収容溝
１２６        斜面
１２８        抜け止め部
１３０        コンタクト
１３２        上部
１３４        下部
１３６        接点部
１３８        最大部位
１４０        連結部
１４２        被保持部
１５０        アクチュエータ
１５２        押圧部
１５４        受容部
１５６        リフトアップ部
１５８        軸部
１６０        保護部
１６２        平面
１６４        操作部
１６６        ロック部
１７０        ホールドダウン
２００        ＦＰＣ（対象物）
２１０        検査用ＦＰＣ
２０２，２１２        端部
２０４，２１４        タブ
２１６        凹部
【図１】
0006039511.tif 000002
【図２】
0006039511.tif 000003
【図３】
0006039511.tif 000004
【図４】
0006039511.tif 000005
【図５】
0006039511.tif 000006
【図６】
0006039511.tif 000007
【図７】
0006039511.tif 000008
【図８】
0006039511.tif 000009
【図９】
0006039511.tif 000010
【図１０】
0006039511.tif 000011
【図１１】
0006039511.tif 000012
【図１２】
0006039511.tif 000013
【図１３】
0006039511.tif 000014
【図１４】
0006039511.tif 000015
【図１５】
0006039511.tif 000016
【図１６】
0006039511.tif 000017
【図１７】
0006039511.tif 000018
【図１８】
0006039511.tif 000019
【図１９】
0006039511.tif 000020